(57)【要約】【課題】外部機器からのダイレクトプリントを容易に行うことができるようにする。【解決手段】外部機器(20)から印刷装置(1)にダイレクトプリントする印刷システムにおいて，外部機器(20)は，複数の画像データを保持し，第１の表示手段と第１の操作手段とを有し，第１の操作手段からの指令に応答して，保持している画像データから印刷候補画像を選択し当該選択された画像の印刷ジョブファイルを印刷装置に供給する。また，印刷装置(1)は，印刷手段と，第２の表示手段と，第２の操作手段とを有し，印刷ジョブファイル内の印刷候補画像を第２の表示手段に表示し，第２の操作手段からの指令に応答して，印刷候補画像から印刷対象画像を選択し，印刷対象画像を印刷手段に印刷させる。ダイレクトプリントにおいて，最終的な印刷対象画像を印刷装置側で確定することができる。【選択図】図１
2007293736.tif 000002
【特許請求の範囲】
【請求項１】
外部機器から印刷装置にダイレクトプリントする印刷システムにおいて，
前記外部機器は，複数の画像データを保持し，第１の表示手段と第１の操作手段とを有し，当該第１の操作手段からの指令に応答して，前記保持している画像データから印刷候補画像を選択し当該選択された画像の印刷ジョブファイルを前記印刷装置に供給し，
前記印刷装置は，印刷手段と，第２の表示手段と，第２の操作手段とを有し，前記印刷ジョブファイル内の印刷候補画像を前記第２の表示手段に表示し，前記第２の操作手段からの指令に応答して，前記印刷候補画像から印刷対象画像を選択し，当該印刷対象画像を前記印刷手段に印刷させることを特徴とする印刷システム。
【請求項２】
請求項１において，
前記外部機器は，前記第１の操作手段からの指令に応答して，前記選択された印刷候補画像の印刷設定データを前記印刷ジョブファイルに含ませ，
前記印刷装置は，前記第２の操作手段からの指令に応答して，前記印刷対象画像の印刷設定データを更に追加または変更することを特徴とする印刷システム。
【請求項３】
請求項１において，
前記外部機器は，前記第１の操作手段からの指令に応答して，自動印刷モードと再選択モードのいずれかのモードデータを前記印刷ジョブファイルに含ませ，
前記印刷装置は，前記自動印刷モードの場合は，前記印刷ジョブファイル内の印刷候補画像を前記印刷対象画像として前記印刷手段に印刷させ，前記再選択モードの場合は，前記印刷候補画像から選択された印刷対象画像を前記印刷手段に印刷させることを特徴とする印刷システム。
【請求項４】
請求項１において，
前記印刷装置は，自動印刷モードと再選択モードのいずれかのモードに設定可能であり，前記自動印刷モードの場合は，前記印刷ジョブファイル内の印刷候補画像を前記印刷対象画像として前記印刷手段に印刷させ，前記再選択モードの場合は，前記印刷候補画像から選択された印刷対象画像を前記印刷手段に印刷させることを特徴とする印刷システム。
【請求項５】
請求項１において，
前記印刷ジョブファイルは，前記印刷候補画像のＩＤデータを含み，
前記印刷装置は，前記受信した印刷ジョブファイルに含まれる前記印刷候補画像のＩＤデータに基づいて前記外部機器または当該外部機器の外部記録メディアから当該印刷候補画像の画像データを取得し，当該画像を前記第２の表示手段に表示して前記印刷対象画像の選択を促すことを特徴とする印刷システム。
【請求項６】
請求項１において，
前記印刷ジョブファイルは，前記印刷候補画像のＩＤデータを含み，
前記印刷装置は，前記受信した印刷ジョブファイルに含まれる前記印刷候補画像のＩＤデータに基づいて前記外部機器または当該外部機器の外部記録メディアから前記印刷対象画像の画像データを取得し，当該画像を前記印刷手段に印刷させることを特徴とする印刷システム。
【請求項７】
外部機器に保持された画像をダイレクトプリントする印刷装置において，
画像印刷を行う印刷手段と，
画像を表示する表示手段と，
操作手段と，
前記外部機器から印刷候補画像情報を含む印刷ジョブファイルを供給され，前記印刷ジョブファイル内の印刷候補画像を前記表示手段に表示し，前記操作手段からの指令に応答して，前記印刷候補画像から印刷対象画像を選択し，当該印刷対象画像を前記印刷手段に印刷させる制御手段とを有する印刷装置。
【請求項８】
請求項７において，
前記印刷ジョブファイルには前記印刷候補画像の印刷設定データが含まれ，
前記制御手段は，前記操作手段からの指令に応答して，前記印刷対象画像の印刷設定データを更に追加または変更することを特徴とする印刷装置。
【請求項９】
請求項７において，
前記印刷ジョブファイルは，自動印刷モードと再選択モードのいずれかのモードデータを含み，
前記制御手段は，前記自動印刷モードの場合は，前記印刷ジョブファイル内の印刷候補画像を前記印刷対象画像として前記印刷手段に印刷させ，前記再選択モードの場合は，前記印刷候補画像から選択された印刷対象画像を前記印刷手段に印刷させることを特徴とする印刷装置。
【請求項１０】
請求項７において，
前記印刷手段は，自動印刷モードと再選択モードのいずれかのモードに設定可能であり，前記自動印刷モードの場合は，前記印刷ジョブファイル内の印刷候補画像を前記印刷対象画像として前記印刷手段に印刷させ，前記再選択モードの場合は，前記印刷候補画像から選択された印刷対象画像を前記印刷手段に印刷させることを特徴とする印刷装置。
【請求項１１】
請求項７において，
前記印刷ジョブファイルは，前記印刷候補画像のＩＤデータを含み，
前記制御手段は，前記受信した印刷ジョブファイルに含まれる前記印刷候補画像のＩＤデータに基づいて前記外部機器または当該外部機器の外部記録メディアから当該印刷候補画像の画像データを取得し，当該画像を前記表示手段に表示して前記印刷対象画像の選択を促すことを特徴とする印刷装置。
【請求項１２】
請求項７において，
前記印刷ジョブファイルは，前記印刷候補画像のＩＤデータを含み，
前記制御手段は，前記受信した印刷ジョブファイルに含まれる前記印刷候補画像のＩＤデータに基づいて前記外部機器または当該外部機器の外部記録メディアから前記印刷対象画像の画像データを取得し，当該画像を前記印刷手段に印刷させることを特徴とする印刷装置。
【発明の詳細な説明】
【技術分野】
【０００１】
本発明は，印刷システム及びその印刷装置に関し，特に，ダイレクトプリントにおいて印刷装置が主体となって印刷対象画像の選択を可能にする印刷システム及びその印刷装置に関する。
【背景技術】
【０００２】
デジタルスチルカメラなどの外部機器から印刷装置に直接画像ファイルを供給して印刷装置から画像印刷をすることが行われている。ホストコンピュータを介することなく印刷が行われるダイレクトプリントである。たとえば，特許文献１によれば，デジタルカメラをＵＳＢケーブルなどの接続ケーブルで印刷装置に接続し，画像データを含む印刷ジョブをＤＰＯＦ（Digital Print Order Format）ファイルの形式で印刷装置に送信し，印刷装置はその印刷ジョブにしたがって画像を印刷する。また特許文献２では，外部機器が印刷制御情報をマークアップ言語で記述し，一連のスクリプトとして印刷装置に送信している。
【０００３】
さらに，特許文献３によれば，デジタルスチルカメラからブルーツースの通信プロトコルにより印刷対象画像を指定した印刷コマンドを印刷装置に無線送信し，印刷装置が必要に応じて画像データをデジタルスチルカメラから取得して印刷することが記載されている。特許文献４も同様にブルーツースの通信プロトコルを利用して画像データを無線送信し，印刷装置でダイレクトプリントすることが記載されている。
【特許文献１】特開２００４−２８０６２４号公報
【特許文献２】特開２００４−２５５６０３号公報
【特許文献３】特開２００３−２４６１１５号公報
【特許文献４】特開２００４−２５５６０３号公報
【発明の開示】
【発明が解決しようとする課題】
【０００４】
しかしながら，外部機器であるデジタルスチルカメラやカメラ付き携帯電話などは，表示画面が小さくまたは画素数が少なく，さらに操作ボタンが少ない。したがって，それらの外部機器で印刷対象画像を選択する場合，ユーザの操作性が悪く，画像選択のためには画質が不十分である。したがって，印刷対象画像を外部機器で最終的に選択させることは適切ではない。
【０００５】
そこで，本発明の目的は，不十分な表示画面と操作ボタンしかない外部機器からの印刷装置によるダイレクトプリントを適切に行うことができる印刷システム及びその印刷装置を提供することにある。
【課題を解決するための手段】
【０００６】
上記の目的を達成するために，本発明の第１の側面によれば，
外部機器から印刷装置にダイレクトプリントする印刷システムにおいて，
前記外部機器は，複数の画像データを保持し，第１の表示手段と第１の操作手段とを有し，当該第１の操作手段からの指令に応答して，前記保持している画像データから印刷候補画像を選択し当該選択された画像の印刷ジョブファイルを前記印刷装置に供給し，
前記印刷装置は，印刷手段と，第２の表示手段と，第２の操作手段とを有し，前記印刷ジョブファイル内の印刷候補画像を前記第２の表示手段に表示し，前記第２の操作手段からの指令に応答して，前記印刷候補画像から印刷対象画像を選択し，当該印刷対象画像を前記印刷手段に印刷させることを特徴とする。
【０００７】
上記第１の側面において，好ましい態様によれば，前記外部機器は，前記第１の操作手段からの指令に応答して，前記選択された印刷候補画像の印刷設定データを前記印刷ジョブファイルに含ませ，前記印刷装置は，前記第２の操作手段からの指令に応答して，前記印刷対象画像の印刷設定データを更に追加または変更することを特徴とする。
【０００８】
上記第１の側面において，好ましい態様によれば，前記外部機器は，前記第１の操作手段からの指令に応答して，自動印刷モードと再選択モードのいずれかのモードデータを前記印刷ジョブファイルに含ませ，前記印刷装置は，前記自動印刷モードの場合は，前記印刷ジョブファイル内の印刷候補画像を前記印刷対象画像として前記印刷手段に印刷させ，前記再選択モードの場合は，前記印刷候補画像から選択された印刷対象画像を前記印刷手段に印刷させることを特徴とする。
【０００９】
上記第１の側面において，好ましい態様によれば，前記印刷装置は，自動印刷モードと再選択モードのいずれかのモードに設定可能であり，前記自動印刷モードの場合は，前記印刷ジョブファイル内の印刷候補画像を前記印刷対象画像として前記印刷手段に印刷させ，前記再選択モードの場合は，前記印刷候補画像から選択された印刷対象画像を前記印刷手段に印刷させることを特徴とする。
【００１０】
上記第１の側面において，好ましい態様によれば，前記印刷ジョブファイルは，前記印刷候補画像のＩＤデータを含み，前記印刷装置は，前記受信した印刷ジョブファイルに含まれる前記印刷候補画像のＩＤデータに基づいて前記外部機器または当該外部機器の外部記録メディアから当該印刷候補画像の画像データを取得し，当該画像を前記第２の表示手段に表示して前記印刷対象画像の選択を促すことを特徴とする。
【００１１】
上記第１の側面において，好ましい態様によれば，前記印刷ジョブファイルは，前記印刷候補画像のＩＤデータを含み，前記印刷装置は，前記受信した印刷ジョブファイルに含まれる前記印刷候補画像のＩＤデータに基づいて前記外部機器または当該外部機器の外部記録メディアから前記印刷対象画像の画像データを取得し，当該画像を前記印刷手段に印刷させることを特徴とする。
【００１２】
上記の目的を達成するために，本発明の第２の側面によれば，外部機器に保持された画像をダイレクトプリントする印刷装置において，
画像印刷を行う印刷手段と，
画像を表示する表示手段と，
操作手段と，
前記外部機器から印刷候補画像情報を含む印刷ジョブファイルを供給され，前記印刷ジョブファイル内の印刷候補画像を前記表示手段に表示し，前記操作手段からの指令に応答して，前記印刷候補画像から印刷対象画像を選択し，当該印刷対象画像を前記印刷手段に印刷させる制御手段とを有する。
【発明を実施するための最良の形態】
【００１３】
以下，図面にしたがって本発明の実施の形態について説明する。但し，本発明の技術的範囲はこれらの実施の形態に限定されず，特許請求の範囲に記載された事項とその均等物まで及ぶものである。
【００１４】
図１は，本実施の形態における印刷システムの斜視図である。この印刷システムは，画像データを保持する外部機器２０と，外部機器２０と通信可能に接続される印刷装置１とを有する。外部機器２０は，例えばデジタルスチルカメラ付き携帯電話であり，画像データを保持する記録媒体（図示せず）と，画像を表示する表示手段２１と，複数の操作ボタンを有する操作手段２２とを有する。
【００１５】
印刷装置１は，印刷機能に加えてスキャン機能などを有する複合機であり，内部に印刷手段と制御手段（共に図示せず）とを有する。印刷装置１は，印刷機能とスキャン機能を組み合わせることでコピー機能も有する。スキャナ機能により，原稿台２にセットされた原稿をスキャンし，読み取った画像データをデジタル化し，外部の記録媒体に記録する。また，印刷機能により，図示しないホストコンピュータから受信した画像データを印刷すると共に，外部機器２０から受信した画像データも印刷することができる。さらに，メモリカードなどの外部記録メディアが装着可能であり，その外部記録メディア内の画像データも印刷することができる。
【００１６】
図２は，印刷装置の操作パネル４の拡大図である。操作パネル４には，表示パネル５と，電源操作ボタン６と，ヘッドクリーニング，ノズルチェック，インク残量，ギャップ調整などを設定する各種設定ボタン７と，印刷停止させるストップボタン８と，印刷やスキャン開始時に操作されるカラーまたはモノクロのスタートボタン９ａ，９ｂとが設けられている。さらに，操作パネル４には，外部記録メディアから画像データを読み出すためのボタン１０ａと，外部記録メディアに画像データを保存するためのボタン１０ｂとが設けられる。
【００１７】
また，操作パネル４には，表示手段５に表示されたメニュー画面内でカーソル操作を行うためのボタン群１１が設けられ，ボタン群１１には，項目や設定値を選択する選択ボタン１２と，選択，変更した設定を有効にするＯＫボタン１３と，操作中の設定をキャンセルする戻りボタン１４と，印刷枚数や部数を設定する印刷枚数ボタン１５（インクリメント１５ａとデクリメント１５ｂ）とが含まれる。
【００１８】
本実施の形態によれば，外部機器３０にて印刷候補の画像が選択されその画像ＩＤデータを含む印刷ジョブファイルが無線通信で印刷装置１に送信される。印刷装置１は，受信した印刷ジョブファイルが再選択モードデータを含むか，または印刷装置自体が再選択モードに設定されている場合に，印刷ジョブファイル内の印刷候補画像のＩＤデータに基づいて外部機器２０から画像データを取得し，表示手段５に表示してユーザに印刷対象画像の選択を促す。そして，ユーザが表示手段５に表示された画像を参照して，操作ボタン群１１によって印刷対象画像を選択し，所定の印刷設定データを入力すると，印刷装置１は，印刷対象画像を印刷手段により印刷する。印刷装置１が印刷候補画像の画像データを保存するだけの記録容量を有していない場合は，再度，印刷対象画像の画像データを外部機器２０から取得して，画像処理を行って印刷データを生成し，印刷手段により印刷する。
【００１９】
また，印刷装置１は，受信した印刷ジョブファイルが自動印刷モードデータを含むか，または印刷装置自体が自動印刷モードに設定されている場合に，印刷ジョブファイル内の印刷候補画像のＩＤデータに基づいて外部機器２０から画像データを取得し，その画像を印刷手段により印刷する。自動印刷モードの場合も，印刷装置側でユーザによる印刷設定データの追加または変更が可能である。
【００２０】
上記の自動印刷モードまたは再選択モードは，外部機器側で設定可能にしてもよく，または印刷装置側で設定可能にしてもよい。再選択モードに設定されている場合は，外部機器２０の表示手段２１に「印刷装置で再度印刷画像を選択してください」といった画像の再選択を促すメッセージが表示される。
【００２１】
図３は，本実施の形態における印刷システムの構成図である。外部機器２０は，例えばデジタルスチルカメラ付き携帯電話であり，図３にはデジタルスチルカメラ機能を実現するための構成が示され，携帯電話としての構成は省略されている。外部機器２０は，光学系２３と，光学系２３から撮像した画像を光電変換する光電変換ユニット２４と，光電変換された電気信号をＡ／Ｄ変換し，所定の画像処理をして画像データを生成する画像処理ユニット２５とを有する。画像処理ユニット２５により生成された画像データは，読み書き制御部２６を介してメモリ２７に記録される。
【００２２】
また，外部機器２０には，図１で示したとおり，表示部２１と操作部２２とを有し，撮像した画像が表示部２１で表示され，操作部２２からの指令に応答して，印刷候補画像が選択可能になる。ＣＰＵ３０は，操作部２２からの指令に応答して，選択された印刷候補画像の画像情報（例えばＩＤデータ）を含む印刷ジョブファイルを生成し，それを通信制御部２８から印刷装置１に送信する。無線インターフェース２９は，例えばブルーツースなどの所定の通信プロトコルにしたがって，印刷ジョブファイルのデータを送信する。また，ＣＰＵ３０は，操作部２２からの印刷設定に応答して，印刷設定データを印刷ジョブファイルに含ませる。さらに，ＣＰＵ３０は，操作部２２からの指令に応答して，自動印刷モードか再選択モードかを示すモードデータを印刷ジョブファイルに含ませる。
【００２３】
印刷装置１は，印刷手段としての印刷ユニット３５と，その印刷ユニットを制御する印刷制御部３４と，供給された印刷対象の画像データを画像処理する画像処理部３３と，スキャン機能を有するスキャナユニット３６と，制御手段としてのＣＰＵ３８とを有する。印刷装置１は，ケーブル接続手段３７を有し，図示しないホストコンピュータとケーブルで接続可能になっていて，ホストコンピュータから供給される画像を印刷することができる。また，印刷装置１は，メモリカードなどの外部記録メディア４０が装着される外部記録メディアインターフェース３９を有し，外部記録メディア４０内の画像を印刷（ダイレクトプリント）することができる。
【００２４】
さらに，印刷装置１は，無線インターフェース３１と通信制御部３２とを有し，外部機器２０と所定の通信プロトコルにしたがって，印刷ジョブファイルのデータを受信し，印刷ジョブファイル内に画像データが含まれていない場合は，外部機器２０から画像データを取得する。それにより，印刷装置１は，外部機器２０の画像を印刷（ダイレクトプリント）することができる。
【００２５】
図１に示されるとおり，印刷装置１は，表示手段としての表示パネル５と，操作手段としての操作ボタン群１０，１１とを有する。そして，印刷装置１は，操作手段からの指令に応答して，ダイレクトプリントについて自動印刷モードまたは再選択モードのいずれかに設定することができる。また，印刷装置１では，操作手段からの入力指令にしたがって，印刷枚数，用紙タイプ（普通紙，写真用紙），用紙サイズ（Ｌ版，Ａ４，レターサイズなど），レイアウト（１枚または２枚印刷），印刷品質（ドラフト印刷，高速印刷，ＦＩＮＥ印刷，ＢＥＳＴ印刷など），画像補正（赤目除去，肌色補正，コントラスト，バランス）など，外部機器では設定できないパラメータについて印刷設定が行われる。
【００２６】
図４は，本実施の形態におけるダイレクトプリントにおける外部機器と印刷装置の動作フローチャート図である。また，図５は，ダイレクトプリントにおけるブルーツースの通信プロトコルによるデータの送受信のコマンドチャート図である。図４，図５を参照しながら，本実施の形態におけるダイレクトプリントの動作を説明する。
【００２７】
ユーザは，外部機器２０のカメラで撮像した画像を印刷装置１に直接送信してダイレクトプリントさせるために，操作手段２２から印刷指令を入力する。それに応答して，外部機器２０は，ブルーツースの通信プロトコルにしたがって，印刷装置の検索を行う（Ｓ１０）。すなわち，外部機器２０の通信制御部２８は，印刷指令に応答して，インクワイヤリコマンド（Inquiry）を送出して周辺に存在するブルーツースデバイスを検索する。このコマンドに応答して，印刷装置１の通信制御部３２がリスポンスコマンド（Response）を返信し，インクワイヤリコマンドに対して応答する（Ｓ３０）。さらに，外部機器２０の通信制御部２８がサービスディスカバリプロトコル（ＳＤＰ）コマンドを送出し，応答のあったデバイスが持つ機能を問い合わせし，印刷装置１の通信制御部３２は，ベーシックプリントプロファイル（ＢＰＰ）リスポンスを返信して，ＢＰＰ機能を有していることを表明する（Ｓ３０）。
【００２８】
ユーザは，検索応答Ｓ３０の前後で，ダイレクトプリントのモード設定を行う（Ｓ３２）。この設定されるモードは，前述のとおり自動印刷モードまたは再選択モードである。このモード設定は，通常は自動印刷モードに設定され，ユーザが操作手段１１などからモード設定すると再選択モードに設定されるようにしても良い。ここでは，ユーザにより再選択モードに設定されたとする。
【００２９】
外部機器２０が，そのサービス機能としてＢＰＰを有することを認識することで周囲に印刷機能を有する印刷装置１が存在することを認識する。そこで，ユーザは，外部機器の表示部２１に画像を表示しながら，操作部２２から印刷候補画像を選択し，一般的な印刷設定を行う（Ｓ１２）。一般的な印刷設定としては，印刷枚数，印刷媒体のサイズ（Ｌ版，レターサイズ，Ａ４など），印刷品種（きれいまたは速いなど）等であり，印刷装置が汎用的に有している印刷機能に対する印刷設定が含まれる。
【００３０】
外部機器２０のＣＰＵ３０は，操作部２２からの指令に応答して，印刷候補画像の画像情報と設定データとを含む印刷ジョブファイルを生成する。印刷ジョブファイルは，例えば，ＸＨＴＭＬファイルなどのマークアップランゲージで記述され，そこに含まれる画像情報（ＩＤデータ）として，画像の外部機器２０内のメモリ２７に格納されている画像データのパス情報とファイル名とが，タグの中に埋め込まれる。また，画像のレイアウトがマークアップランゲージにより特定される。
【００３１】
図６は，印刷ジョブファイルの一例を示す図である。この印刷ジョブファイル５０は，ＸＨＴＭＬプリント形式（ＸＭＬ）で記述され，ヘッド部５２と，画像ＩＤデータなどの画像情報を有するボディ部５４とを有する。このように，印刷ジョブファイル５０は，ＸＨＴＭＬにより記述されたシンプルな記述ファイルである。ボディ部５４に含まれる画像情報は，タグに埋め込まれた「image src=”images/img001.jpg”」などからなり，この埋め込まれた画像情報は，イメージソース「image src」が外部機器２０内のメモリ２７のイメージフォルダ「images」のファイル名「img001.jpg」であるという情報である。これにより，印刷候補画像の画像データが特定される。
【００３２】
次に，外部機器２０は，図６に示したＸＨＴＭＬ形式の印刷ジョブファイルを印刷装置１に送出し（Ｓ１４），印刷装置１は印刷ジョブファイルを受信する（Ｓ３４）。具体的には，図５に示されるとおり，外部機器２０の通信制御部２８がオープンデータチャネル（Open Data Channel）コマンドを送出し（Ｓ１３），印刷装置１の通信制御部３２がアクノリッジコマンド（ＡＣＫ）を返信し（Ｓ３３），それによりデータチャネルが開かれ，それに応答して，外部機器２０の通信制御部２８が，印刷ジョブファイルをプッシュデータ（Push Data）コマンドを送出し（Ｓ１４），印刷装置１の通信制御部３２がアクノリッジ（ＡＣＫ）コマンドを返信する（Ｓ３４）。この結果，印刷装置１のＣＰＵ３８は，印刷ジョブファイル５０を受信完了する。
【００３３】
ベーシックプリントプロファイルＢＰＰでは，印刷ジョブファイルがプッシュコマンドで送信されるとその通信セッションは終了する。それに伴い，外部機器２０の通信制御部２８は，クローズチャネル(Close Channel)コマンドを送信し，データチャネルを閉じる（Ｓ１５）。
【００３４】
次に，印刷装置１の制御部であるＣＰＵ３８は，再選択モードに設定されているので，印刷ジョブファイルに含まれている印刷候補画像の画像ＩＤデータに基づいて，画像データを外部機器から取得し，表示パネル５に表示して，ユーザに印刷対象画像の選択を促す。印刷候補の画像データを取得するためには，印刷装置側の通信制御部３２が，データチャネルを開いて，ゲットコマンドにより画像データを獲得する。
【００３５】
具体的には，図５に示されるとおり，印刷装置１の通信制御部３２が，オープンデータチャネル（Open Data Channel）コマンドを送出し（Ｓ３５），外部機器２０の通信制御部２８がアクノリッジコマンド（ＡＣＫ）を返信し，データチャネルを開く。そして，印刷装置１の通信制御部３２は，ゲットイメージデータ（Get Image Data）コマンドを画像情報と共に送信し（Ｓ３６），それに応答して，外部機器２０のＣＰＵ３０は，メモリ２７内の画像データを読み出し，通信制御部２８により転送させる。つまり，通信制御部２８は，センドイメージデータ（Send Image Data）コマンドにより画像情報に対応する画像データを送信する（Ｓ１８）。そして，印刷装置１の通信制御部３２は，画像データを受信する（Ｓ３８）。
【００３６】
このセンドコマンドで送信可能なデータ容量には限りがあるので，画像データのデータ量が大きい時は，上記ゲットイメージデータコマンドとセンドイメージコマンドとが必要回数だけ繰り返される。
【００３７】
印刷装置１の制御部であるＣＰＵ３８は，受信した印刷候補の画像データを表示パネル５に表示して，ユーザに印刷対象画像の選択を促す（Ｓ４０）。さらに，ユーザに選択した印刷対象画像の印刷設定を促す（Ｓ４２）。
【００３８】
図７は，印刷装置の表示パネル５に表示された印刷対象画像選択画面例を示す図である。表示パネル５には，３行３列の画像が表示され，操作手段１１のボタン１２により太枠５７が移動され，ＯＫボタン１３で画像が選択され，さらに，印刷枚数ボタン１５により印刷枚数が設定される。印刷対象画像５６が選択されるとその印刷枚数がボールド書体の数字で表示され，ユーザがどの画像を選択したかが確認可能にされる。また，印刷設定画面は表示しないが，前述した詳細な印刷設定が表示パネル５と操作手段１０，１１とにより行われる。
【００３９】
印刷装置の操作パネル４には，外部機器２０よりも大きいまたは高画質な表示パネル５が設けられているので，ユーザは，印刷対象画像の選択を行うに際して，より高画質の画像を見ることができる。また，印刷装置の操作パネル４の操作ボタンは，外部機器２０の操作手段よりも大きく，操作性が良いので，ユーザは，印刷対象が図尾の選択を行うための操作をより簡単に行うことができる。
【００４０】
印刷候補画像から印刷対象画像が選択され，その印刷設定が行われると，印刷装置１の制御部であるＣＰＵ３８は，印刷対象画像の印刷処理を行う。この例では，印刷装置１には，複数の画像データを保持するだけの記録容量のメモリを有していないので，再度，印刷対象画像の画像データを外部機器２０から取得する必要がある。そのために，表示のための画像データの取得と同様に，印刷装置１の通信制御部３２は，ゲットコマンドにより画像データを要求し（Ｓ４４），それに応答して外部装置１の通信制御部２８は，ゲットコマンドで要求された画像情報に対応する画像データをセンドコマンドにより送信し（Ｓ１９），印刷装置１の通信制御部３２はその画像データを受信する（Ｓ４６）。このゲットコマンドとセンドコマンドは，画像データの容量分繰り返される。
【００４１】
印刷装置１のＣＰＵ３８は，受信した印刷候補の画像データを画像処理部３３に画像処理させて印刷データを生成し，印刷制御部３４から印刷ユニット３５により画像印刷を行わせる（Ｓ４８）。上記画像データの取得と画像印刷は，選択された印刷候補画像全てについて繰り返される。
【００４２】
以上のとおり，本実施の形態によれば，操作性が乏しく表示画質も乏しい外部機器２０では，印刷候補画像が選択され，その画像情報を含む印刷ジョブファイルが生成され，印刷装置に送信される。そして，ユーザは，印刷装置の操作パネル４で，より高画質の画像を表示しながら印刷候補画像から印刷対象画像を選択し，最終印刷対象画像を確定することができる。よって，外部機器２０からのダイレクト印刷をより容易に行うことができる。
【００４３】
また，本実施の形態によれば，外部機器側では，印刷候補の画像が選択され，印刷候補画像の画像情報（ＩＤデータ）を含む印刷ジョブファイルがマークアップ言語で記述され，印刷装置に送信される。よって，ブルーツースのベーシックプリントプロファイルに対するプッシュコマンドで印刷ジョブファイルを送信することができる。そして，印刷装置側では，画像情報に基づいて画像データを外部機器から取得し，表示させて印刷対象画像の選択を促す。よって，ユーザは，印刷装置側で最終的な印刷対象画像の選択と印刷設定を行うことができる。
【００４４】
上記の実施の形態では，印刷装置側で自動印刷モードか再選択モードかを設定可能になっているが，外部機器２０側で上記モードの設定を可能にしてもよい。外部機器２０でモード設定が行われると，そのモードデータが，印刷ジョブファイル内に含まれる。それにより，印刷装置１の制御部であるＣＰＵ３８は，印刷ジョブファイル内に再選択モードデータが含まれていれば，前述のとおり，印刷候補の画像データを取得して表示し印刷対象画像の選択を促し，その選択後，印刷対象画像データを足度取得して，印刷ユニット３５から印刷させる。また，印刷ジョブファイル内に自動モードデータが含まれていれば，印刷ジョブファイル内の画像データを取得して印刷ユニットから印刷させる。
【００４５】
上記の実施の形態では，印刷ジョブファイルがＸＨＴＭＬで記述された例を示した。それ以外のファイル形式としては，例えばＤＰＯＦ（Direct Print Order File）形式であってもよい。そして，このＤＰＯＦデータが，外部機器から，無線通信ではなく，外部記録メディアであるメモリカードを介して供給されても良い。その場合は，印刷装置１のＣＰＵ３８は，装着された外部メモリカードから，印刷ジョブファイルに加えて，印刷候補画像の画像データと，印刷対象画像の画像データとを取得することになる。
【図面の簡単な説明】
【００４６】
【図１】本実施の形態における印刷システムの斜視図である。
【図２】印刷装置の操作パネル４の拡大図である。
【図３】本実施の形態における印刷システムの構成図である。
【図４】本実施の形態におけるダイレクトプリントにおける外部機器と印刷装置の動作フローチャート図である。
【図５】ダイレクトプリントにおけるブルーツースの通信プロトコルによるデータの送受信のコマンドチャート図である。
【図６】印刷ジョブファイルの一例を示す図である。
【図７】印刷装置の表示パネル５に表示された印刷対象画像選択画面例を示す図である。
【符号の説明】
【００４７】
１：印刷装置                        ５：第１の表示手段
１０，１１：第１の操作手段          ２０：外部機器
２１：第２の表示手段                ２２：第２の操作手段
【図１】
2007293736.tif 000003
【図２】
2007293736.tif 000004
【図３】
2007293736.tif 000005
【図４】
2007293736.tif 000006
【図５】
2007293736.tif 000007
【図６】
2007293736.tif 000008
【図７】
2007293736.tif 000009